(57)【要約】【課題】自らの傍らにアシスタントを用意できない場合でも、生放送番組の配信の進行を滞らせずに、アンケート等のコンテンツを配信できる端末装置のアプリケーションプログラム、端末装置の制御方法、端末装置、及び生放送配信サーバのプログラムを提供する。【解決手段】生放送番組の配信機能を有する生放送配信サーバ１との通信機能を有する端末装置３のアプリケーションプログラムであって、アプリケーションプログラムは、端末装置３のコンピュータを、生放送配信者からの指示に基づき、視聴者の一部または全部にコンテンツの作成権限を付与する権限付与部３２と、作成権限を付与された視聴者によるコンテンツ作成を可能とする視聴者コンテンツ作成部３２と、生放送配信者またはコンテンツ作成を行った視聴者の指示に基づき、視聴者により作成されたコンテンツを、生放送中の番組に組み込むコンテンツ配信部３２として機能させる。【選択図】図７
2018180681.tif 000002
【特許請求の範囲】
【請求項１】
生放送番組の配信機能を有する生放送配信サーバとの通信機能を有する端末装置のアプリケーションプログラムであって、前記アプリケーションプログラムは、前記端末装置のコンピュータを、
生放送配信者からの指示に基づき、視聴者の一部または全部にコンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部として、機能させる、
ことを特徴とする端末装置のアプリケーションプログラム。
【請求項２】
前記権限付与部は、作成されるコンテンツの種類と、前記作成権限の範囲とを決定する、
ことを特徴とする請求項１に記載のアプリケーションプログラム。
【請求項３】
前記コンテンツの種類には、アンケート、または前記生放送番組と共に配信される生放送番組が含まれる、
ことを特徴とする請求項２に記載のアプリケーションプログラム。
【請求項４】
前記アプリケーションプログラムは、前記端末装置のコンピュータを、
前記視聴者により作成されたコンテンツの確認が可能なコンテンツ確認部としてさらに機能させる、
ことを特徴とする請求項１ないし請求項３のいずれか一に記載のアプリケーションプログラム。
【請求項５】
前記アプリケーションプログラムは、前記端末装置のコンピュータを、
前記視聴者により作成されたコンテンツの配信の許否を決定する配信許否決定部としてさらに機能させる、
ことを特徴とする請求項４に記載のアプリケーションプログラム。
【請求項６】
前記権限付与部は、無作為に抽出された前記他のユーザ、または特定条件下にある前記視聴者に前記作成権限を付与する、
ことを特徴とする請求項１ないし請求項５のいずれか一に記載のアプリケーションプログラム。
【請求項７】
前記作成権限の範囲は、前記コンテンツの作成の時間的制限、および前記コンテンツの作成の表示上の制限の少なくともいずれかを含む、
ことを特徴とする請求項１ないし請求項６のいずれか一に記載のアプリケーションプログラム。
【請求項８】
生放送番組の配信機能を有する生放送配信サーバとの通信機能を有する端末装置の制御方法であって、
生放送配信者からの指示に基づき、視聴者の一部または全部にコンテンツの作成権限を付与し、
作成権限を付与された視聴者によるコンテンツ作成を可能とし、
生放送配信者またはコンテンツ作成を行った視聴者の指示に基づき、視聴者により作成されたコンテンツを、生放送中の番組に組み込む、
ことを特徴とする端末装置の制御方法。
【請求項９】
生放送番組の配信機能を有する生放送配信サーバとの通信機能を有する端末装置であって、
生放送配信者からの指示に基づき、視聴者の一部または全部にコンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部と、を備える、
ことを特徴とする端末装置。
【請求項１０】
生放送番組を配信可能な生放送配信サーバのプログラムであって、前記プログラムは、前記生放送配信サーバのコンピュータを、
生放送配信者からの指示に基づき、視聴者の一部または全部にコンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部として、機能させる、
ことを特徴とする生放送配信サーバのプログラム。
【発明の詳細な説明】
【技術分野】
【０００１】
本発明は、端末装置のアプリケーションプログラム、端末装置の制御方法、端末装置、および生放送配信サーバのプログラムに関する。
【背景技術】
【０００２】
従来から、ゲームを行いながら、ゲームを行っているプレイヤー自身の姿をカメラで撮影し、プレイヤー自身の姿と共にゲームの実況をライブ配信するゲームシステムが提供されている。このようなゲームシステムの中には、例えば特許文献１のように、ライブ配信を行っているプレイヤーが、視聴者からアンケートの回答を受け付ける機能を有しているものがある。
【０００３】
特許文献１のゲームシステムにおいては、ゲーム装置とは別にスマートフォン等の携帯端末装置においてアンケートの質問と回答の選択肢とを入力し、携帯端末装置からゲーム装置にアンケートの質問と回答の選択肢が送信されるようになっている。また、ゲーム装置において受信されたアンケートの質問と回答の選択肢は、ネットワークを介してサーバに送信され、サーバから視聴者のゲーム装置等に配信される。
【０００４】
また、ゲーム装置以外にも、生放送番組をインターネット経由で配信するサービスにおいて、アンケート機能を有するサービスが提供されている。
【先行技術文献】
【特許文献】
【０００５】
【特許文献１】特開２０１５−２３０６８５号公報
【発明の概要】
【発明が解決しようとする課題】
【０００６】
しかしながら、ゲームのプレイヤーや、生放送番組を配信しているユーザが、ゲーム中または生放送番組の配信中に、一人でアンケート等のコンテンツの配信を行うには、本来のコンテンツの配信とは別に、アンケート等のコンテンツの配信機能を利用する必要がある。その結果、ゲームの実況中継や生放送番組の進行が滞ることがあった。
【０００７】
別途アシスタントを用意すれば、ゲームのプレイヤーや生放送番組の配信を行っているユーザ自身がアンケートを取らなくてもよくなるが、現実には、単独でゲームを行うプレイヤーや、単独で生放送番組の配信を行っているユーザが多い。したがって、このような場合にアシスタントを用意することは難しい。また、アシスタントを用意することが可能な場合でも、常にアシスタントが必要な訳ではないため、突発的にアシスタントが必要になった際には対応ができないという問題もある。
【０００８】
そこで、本発明は、自らの傍らにアシスタントを用意できない場合であっても、生放送番組の配信の進行を滞らせることなく、アンケート等のコンテンツを配信することのできる端末装置のアプリケーションプログラム、端末装置の制御方法、端末装置、および生放送配信サーバのプログラムを提供することを課題とする。
【課題を解決するための手段】
【０００９】
前記課題を解決するため、本発明に係る端末装置のアプリケーションプログラムの一態様は、生放送番組の配信機能を有する生放送配信サーバとの通信機能を有する端末装置のアプリケーションプログラムであって、前記アプリケーションプログラムは、前記端末装置のコンピュータを、生放送配信者からの指示に基づき、視聴者の一部または全部にコンテンツの作成権限を付与する権限付与部と、作成権限を付与された視聴者によるコンテンツ作成を可能とする視聴者コンテンツ作成部と、生放送配信者またはコンテンツ作成を行った視聴者の指示に基づき、視聴者により作成されたコンテンツを、生放送中の番組に組み込むコンテンツ配信部として機能させることを特徴とする。
【００１０】
本明細書において、「生放送番組」は、配信者がカメラで撮影した映像をリアルタイムで配信する番組だけでなく、繰り返し再生可能に記録された動画を再生しながら配信する番組も含む概念である。本明細書において、「コンテンツ」とは、生放送番組中に配信されるアンケート、生放送番組の表示画面中における所定の領域で配信される他の生放送番組等を含む概念である。本明細書において、「権限」とは、本来は、配信者のみが作成可能な内容の一部または全部を視聴者により作成可能とすることを包含する概念である。
【００１１】
前記態様によれば、端末装置のコンピュータは、前記アプリケーションプログラムを実行することにより、次のように機能する。権限付与部は、生放送配信者からの指示に基づき、視聴者の一部または全部にコンテンツの作成権限を付与する。視聴者コンテンツ作成部は、作成権限を付与された視聴者によるコンテンツ作成を可能とする。コンテンツ配信部は、生放送配信者またはコンテンツ作成を行った視聴者の指示に基づき、視聴者により作成されたコンテンツを、生放送中の番組に組み込む。したがって、生放送配信者は、視聴者の一部または全部にコンテンツの作成を依頼し、作成されたコンテンツを配信することができるので、生放送配信者が自らの傍らにアシスタントを用意できない場合であっても、生放送番組の配信の進行を滞らせることなく、アンケート等のコンテンツを配信することができる。
【００１２】
本発明の他の態様は、前記権限付与部は、作成されるコンテンツの種類と、前記作成権限の範囲とを決定することを特徴とする。この態様によれば、コンテンツの作成権限を配信者以外の者に付与しても、配信者が希望する内容のコンテンツが作成されることが期待される。
【００１３】
本発明の他の態様は、前記コンテンツの種類には、アンケート、または前記生放送番組と共に配信される生放送番組が含まれることを特徴とする。この態様によれば、配信者が自らの傍らにアシスタントを用意できない場合であっても、煩雑な作業を回避して、生放送番組を共同で配信することができる。
【００１４】
本発明の他の態様は、前記アプリケーションプログラムは、前記端末装置のコンピュータを、前記視聴者により作成されたコンテンツの確認が可能なコンテンツ確認部としてさらに機能させることを特徴とする。この態様によれば、コンテンツ確認部は、視聴者により作成されたコンテンツの確認を可能とする。したがって、コンテンツの作成を視聴者に依頼しても、生放送配信者が希望する内容のコンテンツが作成されることが期待される。
【００１５】
本発明の他の態様は、前記アプリケーションプログラムは、前記端末装置のコンピュータを、前記視聴者により作成されたコンテンツの配信の許否を決定する配信許否決定部としてさらに機能させることを特徴とする。この態様によれば、配信許否決定部は、視聴者により作成されたコンテンツの配信の許否を決定する。したがって、コンテンツの作成を視聴者に依頼しても、生放送配信者が希望する内容のコンテンツが配信されることが期待される。
【００１６】
本発明の他の態様は、前記権限付与部は、無作為に抽出された前記他のユーザ、または特定条件下にある前記他のユーザに前記作成権限を付与することを特徴とする。この態様によれば、配信者が自らの傍らにアシスタントを用意できない場合であっても、他のユーザにコンテンツの作成を依頼できるので、生放送番組の配信の進行を滞らせることなく、アンケート等のコンテンツを配信することができる。
【００１７】
本発明の他の態様は、前記作成権限の範囲は、前記コンテンツ作成の時間的制限、および前記コンテンツ作成の表示上の制限の少なくともいずれかを含むことを特徴とする。この態様によれば、コンテンツ作成の権限を配信者以外の者に付与しても、配信者が希望する内容のコンテンツが作成されることが期待される。
【００１８】
前記課題を解決するため、本発明に係る端末装置の制御方法の一態様は、生放送番組の配信機能を有する生放送配信サーバとの通信機能を有する端末装置の制御方法であって、生放送配信者からの指示に基づき、視聴者の一部または全部にコンテンツの作成権限を付与し、作成権限を付与された視聴者によるコンテンツ作成を可能とし、生放送配信者またはコンテンツ作成を行った視聴者の指示に基づき、視聴者により作成されたコンテンツを、生放送中の番組に組み込むことを特徴とする。
【００１９】
前記態様によれば、生放送配信者からの指示に基づき、視聴者の一部または全部にコンテンツの作成権限が付与される。作成権限を付与された視聴者は、コンテンツ作成が可能となる。視聴者により作成されたコンテンツは、生放送配信者またはコンテンツ作成を行った視聴者の指示に基づき、生放送中の番組に組み込まれる。したがって、生放送配信者は、視聴者の一部または全部にコンテンツの作成を依頼し、作成されたコンテンツを配信することができるので、生放送配信者が自らの傍らにアシスタントを用意できない場合であっても、生放送番組の配信の進行を滞らせることなく、アンケート等のコンテンツを配信することができる。
【００２０】
前記課題を解決するため、本発明に係る端末装置の一態様は、生放送番組の配信機能を有する生放送配信サーバとの通信機能を有する端末装置であって、生放送配信者からの指示に基づき、視聴者の一部または全部にコンテンツの作成権限を付与する権限付与部と、作成権限を付与された視聴者によるコンテンツ作成を可能とする視聴者コンテンツ作成部と、生放送配信者またはコンテンツ作成を行った視聴者の指示に基づき、視聴者により作成されたコンテンツを、生放送中の番組に組み込むコンテンツ配信部とを備える、ことを特徴とする。
【００２１】
前記態様によれば、権限付与部は、生放送配信者からの指示に基づき、視聴者の一部または全部にコンテンツの作成権限を付与する。視聴者コンテンツ作成部は、作成権限を付与された視聴者によるコンテンツ作成を可能とする。コンテンツ配信部は、生放送配信者またはコンテンツ作成を行った視聴者の指示に基づき、視聴者により作成されたコンテンツを、生放送中の番組に組み込む。したがって、生放送配信者は、視聴者の一部または全部にコンテンツの作成を依頼し、作成されたコンテンツを配信することができるので、生放送配信者が自らの傍らにアシスタントを用意できない場合であっても、生放送番組の配信の進行を滞らせることなく、アンケート等のコンテンツを配信することができる。
【００２２】
前記課題を解決するため、本発明の生放送配信サーバのプログラムの一態様は、生放送番組を配信可能な生放送配信サーバのプログラムであって、前記プログラムは、前記生放送配信サーバのコンピュータを、生放送配信者からの指示に基づき、視聴者の一部または全部にコンテンツの作成権限を付与する権限付与部と、作成権限を付与された視聴者によるコンテンツ作成を可能とする視聴者コンテンツ作成部と、生放送配信者またはコンテンツ作成を行った視聴者の指示に基づき、視聴者により作成されたコンテンツを、生放送中の番組に組み込むコンテンツ配信部として機能させる、ことを特徴とする。
【００２３】
前記態様によれば、生放送配信サーバのプログラムを生放送配信サーバのコンピュータに実行させることにより、権限付与部は、生放送配信者からの指示に基づき、視聴者の一部または全部にコンテンツの作成権限を付与する。視聴者コンテンツ作成部は、作成権限を付与された視聴者によるコンテンツ作成を可能とする。コンテンツ配信部は、生放送配信者またはコンテンツ作成を行った視聴者の指示に基づき、視聴者により作成されたコンテンツを、生放送中の番組に組み込む。したがって、生放送配信者は、視聴者の一部または全部にコンテンツの作成を依頼し、作成されたコンテンツを配信することができるので、生放送配信者が自らの傍らにアシスタントを用意できない場合であっても、生放送番組の配信の進行を滞らせることなく、アンケート等のコンテンツを配信することができる。
【発明の効果】
【００２４】
本発明によれば、自らの傍らにアシスタントを用意できない場合であっても、生放送番組の配信の進行を滞らせることなく、アンケート等のコンテンツを配信することができる。
【図面の簡単な説明】
【００２５】
【図１】本発明に係る第１実施形態の生放送配信システムを概略的に示す図である。
【図２】第１実施形態における生放送配信サーバの構成を概略的に示すブロック図である。
【図３】第１実施形態における端末装置の構成を概略的に示すブロック図である。
【図４】端末装置におけるインターフェース選択処理ルーチンを示すフローチャートである。
【図５】生放送番組配信用インターフェースの一例を示す図である。
【図６】生放送番組視聴用インターフェースの一例を示す図である。
【図７】端末装置と生放送配信サーバの視聴者おまかせ処理の動作を示すシーケンス図である。
【図８】端末装置における視聴者おまかせ処理の動作を示すフローチャートである。
【図９】アンケート作成画面の一例を示す図である。
【図１０】アンケートの表示例を示す図である。
【図１１】アンケート確認画面の一例を示す図である。
【図１２】本実施形態の第２実施形態の生放送配信システムにおける端末装置と生放送配信サーバの動作を示すシーケンス図である。
【図１３】端末装置における応募処理ルーチンを示すフローチャートである。
【図１４】アンケート作成画面の一例を示す図である。
【図１５】アンケート確認画面の一例を示す図である。
【図１６】本実施形態の第３実施形態の生放送配信システムにおける端末装置と生放送配信サーバの動作を示すシーケンス図である。
【図１７】本実施形態の第４実施形態の生放送配信システムにおける端末装置と生放配信サーバの動作を示すシーケンス図である。
【発明を実施するための形態】
【００２６】
（第１実施形態）
以下、本発明の第１実施形態について図面を参照しつつ説明する。図１は、本発明に係る第１実施形態の生放送配信システムを概略的に示す図である。図２は、第１実施形態における生放送配信サーバの構成を概略的に示すブロック図である。図３は、第１実施形態における端末装置の構成を概略的に示すブロック図である。
【００２７】
（生放送配信システム）
図１に示すように、本発明の第１実施形態における生放送配信システムは、生放送配信サーバ１と、インターネット等のネットワーク２と、ネットワーク２を介して生放送配信サーバ１に接続される端末装置３とを備える。端末装置３は、生放送番組を配信する配信者の端末装置３と、生放送番組を視聴する視聴者の端末装置３とが含まれる。
【００２８】
生放送配信サーバ１は、視聴者となるユーザの端末装置３に生放送番組の動画データを提供するためのウェブページ（以下、番組選択用ウェブページと称する。）を提供する。また生放送配信サーバ１は、各動画データのメタデータを記憶する。本実施形態において動画データのメタデータは、当該動画データの分類を示す文字列（動画タグ）である。番組選択用ウェブページには、生放送番組を視聴するためのＵＲＬ（Uniform Resource Locater）、および当該動画データのメタデータが含まれる。
【００２９】
生放送配信サーバ１は、複数の生放送番組を配信する。生放送配信サーバ１は、端末装置３からの配信要求に応じて、生放送番組の動画データを要求元の端末装置３へ配信する。この配信は、例えば、ストリーミング配信によって行われる。
【００３０】
さらに、本実施形態の生放送配信システムでは、視聴者は、いずれかの生放送番組を視聴しながら、コメントを投稿することが可能になっている。コメントの投稿および配信は、コメント配信サーバにより行われるが、図１における図示は省略する。コメント配信サーバは、生放送番組に対するコメントの投稿を、ネットワーク２を介して端末装置３から受け付ける。コメントのデータ形式としては、テキスト形式が挙げられる。コメント配信サーバは、投稿を受け付けたコメントのテキストデータを、当該コメントが投稿された生放送番組と関連付けて記憶する。なお、「コメント」は、テキストデータだけでなく、スタンプ、リンク情報、音声データ等も包含する概念である。コメント配信サーバは、端末装置３から問い合わせがあり、生放送番組と関連付けられたコメントが記憶されている場合には、端末装置３にコメントを配信する。その結果、視聴者が端末装置３において所望の生放送番組のタイトルを選択して生放送番組の視聴を行うと、端末装置３において表示される生放送番組の画面上に、コメントが表示される。
【００３１】
図２に示すように、生放送配信サーバ１は、記憶部１０と、サーバ制御部１１と、通信部１２とを備える。記憶部１０は、例えばＨＤＤ（Hard Disk Drive）等から構成される。記憶部１０には、本発明の生放送配信サーバ１のプログラムが記憶される。通信部１２は、ネットワーク２を用いたデータの通信を行うインターフェースであり、サーバ制御部１１により制御される。本実施形態では、一例として、ネットワーク２にインターネットを用いており、通信部１２は、インターネットによりデータの通信を行うインターフェースである。生放送配信サーバ１は、ネットワーク２を介して、端末装置３と通信可能となっている。
【００３２】
サーバ制御部１１は、ＣＰＵ等から構成され、記憶部１０に記憶されたプログラムを実行することにより、生放送番組の配信に関する制御を行う。サーバ制御部１１は、生放送番組を配信する配信者の端末装置３から、配信者のユーザＩＤと、生放送番組の配信要求とを受信する。
【００３３】
視聴者が、端末装置３において番組選択用ウェブページを表示させ、所望の生放送番組をクリックして選択すると、当該視聴者の端末装置３から生放送配信サーバ１に対して、生放送番組の視聴要求が送信される。サーバ制御部１１は、端末装置３から視聴要求を受信し、当該端末装置３に番組ＩＤの送信と、生放送番組の配信とを行う。また、サーバ制御部１１は、視聴要求に基づいて視聴者数の計測と記録を行う。
【００３４】
図３に示すように、端末装置３は、表示部３０、入力部３１、端末制御部３２、再生部３３、記憶部３４、および通信部３５を備える。端末装置３は、ネットワーク２を介して各種サーバ等と通信可能な機能を有する端末装置である。端末装置３には、例えば、携帯電話、スマートフォン、情報端末装置等のモバイル端末、ＰＣ、ゲーム機、およびテレビジョン装置等を適用することができる。表示部３０は、携帯電話、スマートフォン、情報端末装置等のモバイル端末、ＰＣ、ゲーム機、およびテレビジョン装置等における液晶ディスプレイ等から構成される。表示部３０の例としては、ＶＲ（Ｖｉｒｔｕａｌ  Ｒｅａｌｉｔｙ）やＭＲ（Ｍｉｘｅｄ  Ｒｅａｌｉｔｙ）、ＡＲ（Ａｕｇｍｅｎｔｅｄ  Ｒｅａｌｉｔｙ）等のＨＭＤ（Ｈｅａｄ  Ｍｏｕｎｔｅｄ  Ｄｉｓｐｌａｙ）であってもよい。また、スマートグラスを表示部３０として用いてもよい。さらに、プロジェクターを表示部３０として用いてもよい。
【００３５】
入力部３１は、配信者または視聴者となるユーザからの操作指示の入力、およびコメント等の入力を行う。入力部３１は、例えば、表示部３０と一体のタッチパネル、およびキーボード等から構成される。また、入力部３１は、音声を入力するためのマイクを含む。また、本実施形態では、入力部３１は、カメラも含む
【００３６】
端末装置３においては、図示を省略するアプリケーションプログラム配信サーバから、本発明のアプリケーションプログラムが予めダウンロードされており、かつ、インストールされている。端末制御部３２は、ＣＰＵ等から構成され、アプリケーションプログラムを実行することにより、権限付与部と、視聴者コンテンツ作成部と、コンテンツ配信部として機能する。端末制御部３２は、表示部３０、入力部３１、再生部３３、記憶部３４、および通信部３５を制御する。端末制御部３２は、生放送配信サーバ１から配信される生放送番組の動画データ、またはコメントを受信し、表示部３０に表示させる。また、端末制御部３２は、生放送配信サーバ１から配信される生放送番組の動画データを受信し、再生部３３に再生させる。さらに、端末制御部３２は、コメント配信サーバから配信されるコメントのテキストデータ等を受信し、表示部３０に表示させる。
【００３７】
再生部３３は、アンプ、およびスピーカ等から構成され、端末制御部３２の制御に基づいて、生放送番組の動画データの再生を行う。記憶部３４は、前記アプリケーションプログラム、生放送配信サーバ１から配信されるデータ、およびコメント配信サーバから配信されるデータを記憶する。
【００３８】
通信部３５は、ネットワーク２を用いたデータの通信を行うインターフェースであり、端末制御部３２により制御される。本実施形態では、一例として、ネットワーク２にインターネットを用いており、通信部３５は、インターネットによりデータの通信を行うインターフェースである。
【００３９】
（生放送番組配信用インターフェース）
次に、本実施形態の生放送配信システムにおける生放送番組配信用インターフェースについて説明する。図４は、端末装置３におけるインターフェース選択処理ルーチンを示すフローチャートである。図５は、生放送番組配信用インターフェース１００の一例を示す図である。生放送番組を配信する場合には、ユーザは、例えば端末装置３においてアプリケーションプログラムを起動し、またはブラウザを起動して、図示を省略する番組選択用ウェブページを表示部３０に表示させる。番組選択用ウェブページを表示させると、端末制御部３２は、図４に示すインターフェース選択処理ルーチンを所定の時間間隔で実行する。番組選択用ウェブページには、生放送番組の配信を準備するための配信準備ボタンが表示されている。端末装置３の端末制御部３２は、図４に示すように、配信準備ボタンがクリックされたかどうかを判断する（図４：Ｓ３０）。配信準備ボタンがクリックされた場合には（図４：Ｓ３０；ＹＥＳ）、端末制御部３２は、表示部３０に生放送番組配信用インターフェース１００を表示させる（図４：Ｓ３１）。図４に示す他の処理については後述する。
【００４０】
図５に示すように、生放送番組配信用インターフェース１００は、運営コメント表示部１１０と、番組表示部１２０と、第１操作部１３０と、テスト操作部１４０と、第２操作部１５０と、参加状況表示部１６０と、コメント等表示欄１７０とを備えている。運営コメント表示部１１０には、生放送配信システムの運営者のコメントが、配信者の端末装置３または生放送配信サーバ１により投稿される。番組表示部１２０には、生放送番組が表示される。番組表示部１２０には、コメントが投稿された場合には、コメントも表示される。
【００４１】
第１操作部１３０は、経過時間表示部１３１と、配信者コメント入力欄１３２と、配信者コメント投稿ボタン１３３と、スピーカアイコン１３４と、コメント表示アイコン１３５と、ＮＧ共有機能アイコン１３６と、画面モード変更アイコン１３７と、更新アイコン１３８と、設定アイコン１３９とを備えている。
【００４２】
経過時間表示部１３１には、生放送番組の経過時間が表示される。本実施形態においては、一例として、生放送番組の配信開始からの経過時間を生放送配信サーバ１において計測し、経過時間のデータを端末装置３に送信している。端末装置３は、生放送配信サーバ１から受信した経過時間のデータを、経過時間表示部１３１に表示する。
【００４３】
配信者コメント入力欄１３２は、配信者が自分のコメントをテキスト等で入力するための矩形の欄である。配信者コメント投稿ボタン１３３は、配信者コメント入力欄１３２に入力したテキスト等を投稿するためのボタンである。
【００４４】
スピーカアイコン１３４は、音声の出力のオン・オフを切り替えるためのアイコンである。図５に示す状態は音声の出力がオンであることを示している。図５に示す状態でスピーカアイコン１３４をクリックすると、スピーカアイコンの上に例えば×印が表示され、音声の出力はオフに切り替えられる。
【００４５】
コメント表示アイコン１３５は、コメントの表示のオン・オフを切り替えるためのアイコンである。図５に示す状態はコメントの表示がオンであることを示している。図５に示す状態でコメント表示アイコン１３５をクリックすると、コメント表示アイコン１３５に例えば×印が表示され、番組表示部１２０におけるコメントの表示はオフに切り替えられる。
【００４６】
ＮＧ共有機能アイコン１３６は、不快なコメントを非表示にするフィルタリングレベルを設定するアイコンである。フィルタリングレベルは強・中・弱から選択することができる。画面モード変更アイコン１３７は、画面モードを切り替えるためのボタンである。画面モードとしては、運営コメント表示部１１０、番組表示部１２０、参加状況表示部１６０およびコメント等表示欄１７０が表示される第１モード、運営コメント表示部１１０と番組表示部１２０とが表示される第２モード、および運営コメント表示部１１０と番組表示部１２０とが全画面表示される第３モードがある。図５に示す状態は、画面モードとして第１モードが選択されている。
【００４７】
更新アイコン１３８は、生放送番組の映像や音声が止まった時に、正常の動作に戻すためのアイコンである。更新アイコン１３８をクリックすることにより、リロードが行われる。設定アイコン１３９は、参加状況表示部１６０およびコメント等表示欄１７０の表示のオン・オフの切り替え、および匿名コメントの表示のオン・オフの切り替え等の設定を行うためのアイコンである。なお、匿名コメントとは、暗号化されたユーザＩＤによって書き込まれたコメントをいう。
【００４８】
テスト操作部１４０は、残り時間表示部１４１と、テスト開始ボタン１４４と、本番開始ボタン１４５と、番組終了ボタン１４６と、再配信ボタン１４７とを備えている。残り時間表示部１４１には、テスト放送が開始されるとテスト放送の残り時間が表示され、本番放送が開始されると本番放送の残り時間が表示される。また、残り時間表示部１４１には、時間設定ボタン１４２と、延長ボタン１４３とが表示される。時間設定ボタン１４２は、テスト放送については５分単位で放送時間を設定し、本番放送について３０分単位の延長時間を設定するためのボタンである。延長ボタン１４３は、テスト放送については５分単位で放送時間を延長し、本番放送については時間設定ボタン１４２で設定した時間分の延長を行うためのボタンである。
【００４９】
テスト開始ボタン１４４は、テスト放送を開始するためのボタンである。テスト開始ボタン１４４をクリックすることにより、テスト放送が開始される。本番開始ボタン１４５は、本番放送を開始するためのボタンである。本番開始ボタン１４５をクリックすることにより、本番放送が開始される。番組終了ボタン１４６は、放送を途中で終了させるためのボタンである。番組終了ボタン１４６をクリックすることにより、放送が終了となる。再配信ボタン１４７は、放送中に映像や音声が止まった時に、正常の動作に戻すためのアイコンである。再配信ボタン１４７をクリックすることにより、リロードが行われる。
【００５０】
第２操作部１５０は、かんたん配信タブ１５１と、外部ツール配信タブ１５２と、動画／コメントタブ１５３と、アンケートタブ１５４と、視聴者おまかせタブ１５５とを備えている。かんたん配信タブ１５１は、かんたん配信を行う際の設定を行うためのタブである。かんたん配信とは、外部ツールを使用せずに、かんたん配信タブ１５１をクリックすることにより表示される設定画面において設定を行って生放送番組を配信することをいう。かんたん配信タブ１５１の設定画面においては、映像重視にするか音質重視にするかの設定、解像度の設定、および音量の設定等を行うことができる。
【００５１】
外部ツール配信タブ１５２は、かんたん配信よりも高画質および高音質で配信可能な外部ツールを使用した配信を行う際の設定を行うためのタブである。外部ツール配信タブ１５２の設定画面においては、外部ツールにログインするための情報の入力と、ログイン実行のためのボタン等が表示される。
【００５２】
動画／コメントタブ１５３は、カメラおよびマイクを使用せずに、予め記録された動画を用いて生放送番組の配信を行う際の設定を行うためのタブである。動画／コメントタブ１５３をクリックすることにより表示される設定画面には、動画を指定するための情報の入力欄、および動画に表示されるコメントの表示・非表示を設定するボタン等が表示される。
【００５３】
アンケートタブ１５４は、配信者がアンケートの作成を行うためのタブである。アンケートタブ１５４をクリックすることにより表示される設定画面には、質問および選択肢の入力欄、出題ボタン、および結果表示ボタン等が表示される。
【００５４】
視聴者おまかせタブ１５５は、アンケートの作成を視聴者に依頼する際の設定を行うためのタブである。図５は、視聴者おまかせタブ１５５をクリックした状態を示している。図５に示すように、視聴者おまかせタブ１５５をクリックすることにより表示される設定画面には、アンケートテーマ入力欄１５６と、選択肢数入力欄１５７と、作成時間入力欄１５８と、作成依頼通知ボタン１５９が表示される。
【００５５】
アンケートテーマ入力欄１５６は、視聴者に作成を依頼するアンケートのテーマを入力する欄である。配信者は、視聴者にアンケートの作成を依頼する際には、アンケートのテーマを設定し、アンケートテーマ入力欄１５６に入力する。
【００５６】
選択肢数入力欄１５７は、視聴者に作成を依頼するアンケートの選択肢数を入力する欄である。配信者は、視聴者に作成を依頼するアンケートの選択肢の数を設定し、選択肢数入力欄１５７に入力する。
【００５７】
作成時間入力欄１５８は、視聴者に依頼するアンケートの作成時間を入力する欄である。配信者は、アンケート作成の制限時間を設定し、作成時間入力欄１５８に入力する。作成依頼通知ボタン１５９は、視聴者へのアンケート作成依頼を実行する際に使用するボタンである。作成依頼通知ボタン１５９をクリックすることにより、端末装置３から生放送配信サーバ１にアンケート作成依頼が送信される。
【００５８】
参加状況表示部１６０は、席次表示部１６１と、視聴者数表示部１６２と、コメント数表示部１６３とを備えている。席次表示部１６１には、コンテンツの視聴者数に制限または階層が設けられている場合に、ユーザが視聴した順番、またはどの階層にいるのかが表示される。番組表示部１２０に表示される生放送番組を配信している配信者のユーザＩＤが表示される。視聴者数表示部１６２は、番組表示部１２０に表示される生放送番組の視聴者数が表示される。本実施形態においては、一例として、生放送番組の視聴者数を生放送配信サーバ１において計測し、生放送配信サーバ１から送信される視聴者数のデータを端末装置３において受信し、配信者ＩＤ表示部１６１に表示するように構成されている。
【００５９】
コメント数表示部１６３には、番組表示部１２０に表示される生放送番組に対するコメント数が表示される。本実施形態においては、一例として、生放送番組に対するコメント数を生放送配信サーバ１において計測し、生放送配信サーバ１から送信されるコメント数のデータを端末装置３において受信し、コメント数表示部１６３に表示するように構成されている。
【００６０】
コメント等表示欄１７０は、コメントタブ１７１と、配信者ＮＧタブ１７２と、設定タブ１７３とを備えている。コメントタブ１７１は、コメント等表示欄１７０に表示される内容をコメントに切り替えるためのタブである。配信者ＮＧタブ１７２は、コメント等表示欄１７０に表示される内容を、配信者ＮＧ設定用の内容に切り替えるためのタブである。配信者ＮＧ設定用の内容とは、特定のコメントの表示をオフにしたり、特定のユーザのコメントを受け付けないようにしたり等の設定の内容を含む。
【００６１】
コメント表示欄１７４は、投稿されたコメントを表示する部分である。番組表示部１２０には、コメントがリアルタイムで表示されるが、コメント表示欄１７４には、過去に投稿されたコメントも表示される。
【００６２】
（生放送番組視聴用インターフェース）
次に、本実施形態の生放送配信システムにおける生放送番組視聴用インターフェースについて説明する。図６は、生放送番組視聴用インターフェース２００の一例を示す図である。生放送番組を配信する場合には、ユーザは、例えば端末装置３においてアプリケーションプログラムを起動し、またはブラウザを起動して、図示を省略する番組選択用ウェブページを表示部３０に表示させる。端末制御部３２は、図４に示すインターフェース選択処理ルーチンを所定の時間間隔で実行する。番組選択用ウェブページには、複数の生放送番組のサムネイル画像等が表示されている。端末装置３の端末制御部３２は、図４に示すように、配信準備ボタンがクリックされたかどうかを判別する（図４：Ｓ３０）。配信準備ボタンがクリックされていない場合には（図４：Ｓ３０；ＮＯ）、端末制御部３２は、生放送番組のサムネイル画像等が選択されたかどうかを判別する（図４：Ｓ３２）。端末制御部３２は、生放送番組のサムネイル画像等が選択されていないと判別した場合には（図４：Ｓ３２；ＮＯ）、インターフェース選択処理ルーチンを抜ける。しかし、端末制御部３２は、生放送番組のサムネイル画像等が選択されたと判別した場合には（図４：Ｓ３２；ＹＥＳ）、表示部３０に生放送番組視聴用インターフェース２００を表示させる。
【００６３】
図６に示すように、生放送番組視聴用インターフェース２００は、運営コメント表示部２１０と、番組表示部２２０と、操作部２３０と、コメント入力欄表示部２４０と、参加状況表示部１６０と、コメント等表示欄１７０とを備えている。運営コメント表示部２１０は、生放送番組配信用インターフェース１００の運営コメント表示部１１０に対応しており、生放送配信システムの運営者のコメントが、配信者の端末装置３または生放送配信サーバ１により投稿される。番組表示部２２０は、生放送番組配信用インターフェース１００の番組表示部１２０に対応しており、生放送番組が表示される。番組表示部１２０には、コメントが投稿された場合には、コメントも表示される。
【００６４】
操作部２３０は、経過時間表示部２３１と、スピーカアイコン２３２と、音量インジケータ２３３と、コメント表示アイコン２３４と、ＮＧ共有機能アイコン２３５と、画面モード変更アイコン２３６と、設定アイコン２３７と、更新アイコン２３８とを備えている。経過時間表示部２３１は、生放送番組配信用インターフェース１００の経過時間表示部１３１に対応しており、生放送番組の経過時間が表示される。
【００６５】
スピーカアイコン２３２は、生放送番組配信用インターフェース１００のスピーカアイコン１３４と同様に、音声の出力のオン・オフを切り替えるためのアイコンである。図６に示す状態は音声の出力がオンであることを示している。図６に示す状態でスピーカアイコン５１をクリックすると、スピーカアイコンの上に例えば×印が表示され、音声の出力はオフに切り替えられる。音量インジケータ２３３は、音量を調整するためのインジケータであり、音量インジケータ５２を図６における右側（図６におけるＸ方向）に移動させるほど音量が大きくなる。
【００６６】
コメント表示アイコン２３４は、生放送番組配信用インターフェース１００のコメント表示アイコン１３５と同様に、コメントの表示のオン・オフを切り替えるためのアイコンである。図６に示す状態はコメントの表示がオンであることを示している。図６に示す状態でコメント表示アイコン２３４をクリックすると、コメント表示アイコン２３４に例えば×印が表示され、コメント等表示欄２６０の表示はオフに切り替えられる。
【００６７】
ＮＧ共有機能アイコン２３５は、生放送番組配信用インターフェース１００のＮＧ共有機能アイコン１３６と同様に、不快なコメントを非表示にするフィルタリングレベルを設定するアイコンである。フィルタリングレベルは強・中・弱から選択することができる。画面モード変更アイコン２３６は、生放送番組配信用インターフェース１００の画面モード変更アイコン１３７と同様に、画面モードを切り替えるためのボタンである。画面モードとしては、生放送番組配信用インターフェース１００と同様に、第１モード、第２モード、および第３モードがある。図６に示す状態は、画面モードとして第１モードが選択されている。
【００６８】
設定アイコン２３７は、生放送番組配信用インターフェース１００の設定アイコン１３９と同様に、参加状況表示部２５０およびコメント等表示欄２６０の表示のオン・オフの切り替え、および匿名コメントの表示のオン・オフの切り替え等の設定を行うためのアイコンである。更新アイコン２３８は、生放送番組配信用インターフェース１００の更新アイコン１３８と同様に、生放送番組の映像や音声が止まった時に、正常の動作に戻すためのアイコンである。更新アイコン２３８をクリックすることにより、リロードが行われる。
【００６９】
参加状況表示部２５０は、生放送番組配信用インターフェース１００の参加状況表示部１６０に対応しており、配信者ＩＤ表示部２５１と、視聴者数表示部２５２と、コメント数表示部２５３とを備えている。配信者ＩＤ表示部２５１には、番組表示部２２０に表示される生放送番組を配信している配信者のユーザＩＤが表示される。視聴者数表示部２５２は、番組表示部２２０に表示される生放送番組の視聴者数が表示される。コメント数表示部２５３には、番組表示部２２０に表示される生放送番組に対するコメント数が表示される。
【００７０】
コメント等表示欄２６０は、生放送番組配信用インターフェース１００のコメント等表示欄１７０に対応しており、コメントタブ２６１と、ＮＧタブ２６２とを備えている。コメントタブ２６１は、コメント等表示欄２６０に表示される内容をコメントに切り替えるためのタブである。ＮＧタブ２６２は、コメント等表示欄２６０に表示される内容を、ＮＧ設定用の内容に切り替えるためのタブである。ＮＧ設定用の内容とは、特定のコメントの表示をオフにしたり、特定のユーザのコメントを受け付けないようにしたり等の設定の内容を含む。
【００７１】
コメント表示欄２６３は、投稿されたコメントを表示する部分である。番組表示部２２０には、コメントがリアルタイムで表示されるが、コメント表示欄２６３には、過去に投稿されたコメントも表示される。
【００７２】
（視聴者おまかせ処理）
次に、図面を参照しつつ、本実施形態における端末装置３および生放送配信サーバ１の動作について説明する。図７は、本実施形態の生放送配信システムにおける端末装置３と生放送配信サーバ１の視聴者おまかせ処理の動作を示すシーケンス図である。図８は、端末装置３における視聴者おまかせ処理の動作を示すフローチャートである。生放送番組を配信する場合には、配信者は、端末装置３においてアプリケーションプログラムを起動し、表示部３０に生放送番組配信用インターフェース１００を表示させる。
【００７３】
配信者は、生放送番組配信用インターフェース１００において、カメラとマイクへのアクセスを許可し、所定の設定を行った上で、生放送番組配信用インターフェース１００に表示されている本番開始ボタン１４５をクリックする。本番開始ボタン１４５をクリックすることにより、生放送番組の配信処理が開始される。端末装置３は、本番開始ボタン１４５がクリックされると、アプリケーションプログラムにより、カメラおよびマイクから入力される配信データを、生放送配信サーバ１に送信する。生放送配信サーバ１は、受信した配信データを、配信者および視聴者の端末装置３にストリーミング配信する。
【００７４】
本実施形態においては、配信者は、以上のように生放送番組の配信中に、視聴者おまかせ処理により、視聴者に対してアンケートの作成依頼を行うことができる。以下、本実施形態における視聴者おまかせ処理について詳細に説明する。
【００７５】
配信者は、図５に示す生放送番組配信用インターフェース１００において、視聴者おまかせタブ１５５をクリックし、所定の設定を行って、視聴者おまかせ処理を開始する（図７：Ｓ１）。視聴者おまかせ処理の詳細を図８に示す。図８に示す視聴者おまかせ処理は、所定の時間間隔で実行される。権限付与部として端末制御部３２は、アンケートのテーマの設定ボタン１５６ｂがクリックされたか否かを判断する（図８：Ｓ４０）。権限付与部として端末制御部３２は、設定ボタン１５６ｂがクリックされたと判断すると（図８：Ｓ４０；ＹＥＳ）、アンケートのテーマの入力欄１５６ａに入力されたテーマを端末装置３の記憶部３４に記憶させる（図８：Ｓ４１）。なお、入力欄１５６ａが空欄のままで設定ボタン１５６ｂがクリックされた場合には、記憶部３４にはｎｕｌｌを格納してもよいし、入力欄１５６ａが空欄のままでは、設定ボタン１５６ｂをクリックできないように構成してもよい。アンケートのテーマがｎｕｌｌの場合には、テーマが自由であるとして取り扱ってもよい。
【００７６】
次に、端末制御部３２は、作成依頼通知ボタン１５９がクリックされたか否かを判断する（図８：Ｓ４６）。端末制御部３２は、作成依頼通知ボタン１５９がクリックされていないと判断した場合には（図８：Ｓ４６；ＮＯ）、視聴者おまかせ処理のルーチンを抜ける。端末制御部３２は、アンケートのテーマの設定ボタン１５６ｂがクリックされていないと判断した場合には（図８：Ｓ４０；ＮＯ）、選択肢の数の設定ボタン１５７ｂがクリックされたか否かを判断する（図８：Ｓ４２）。権限付与部として端末制御部３２は、設定ボタン１５７ｂがクリックされたと判断すると（図８：Ｓ４２；ＹＥＳ）、選択肢の数の入力欄１５７ａに入力された選択肢の数を端末装置３の記憶部３４に記憶させる（図８：Ｓ４３）。なお、入力欄１５７ａが空欄のままで設定ボタン１５７ｂがクリックされた場合には、記憶部３４にはｎｕｌｌを格納してもよいし、入力欄１５７ａが空欄のままでは、設定ボタン１５７ｂをクリックできないように構成してもよい。選択肢の数がｎｕｌｌの場合には、選択肢の数が自由であるとして取り扱ってもよい。
【００７７】
次に、端末制御部３２は、作成依頼通知ボタン１５９がクリックされたか否かを判断する（図８：Ｓ４６）。端末制御部３２は、作成依頼通知ボタン１５９がクリックされていないと判断した場合には（図８：Ｓ４６；ＮＯ）、視聴者おまかせ処理のルーチンを抜ける。端末制御部３２は、テーマの設定ボタン１５６ｂがクリックされず（図８：Ｓ４０；ＮＯ）、選択肢の数の設定ボタン１５７ｂがクリックされていないと判断した場合には（図８：Ｓ４２；ＮＯ）、作業時間の設定ボタン１５８ｂがクリックされたか否かを判断する（図８：Ｓ４４）。権限付与部として端末制御部３２は、設定ボタン１５８ｂがクリックされたと判断すると（図８：Ｓ４４；ＹＥＳ）、作業時間の数の入力欄１５８ａに入力された作業時間を端末装置３の記憶部３４に記憶させる（図８：Ｓ４５）。なお、入力欄１５８ａが空欄のままで設定ボタン１５８ｂがクリックされた場合には、記憶部３４にはｎｕｌｌを格納してもよいし、入力欄１５８ａが空欄のままでは、設定ボタン１５８ｂをクリックできないように構成してもよい。作業時間がｎｕｌｌの場合には、予め定められた値を作業時間として取り扱ってもよい。
【００７８】
次に、端末制御部３２は、作成依頼通知ボタン１５９がクリックされたか否かを判断する（図８：Ｓ４６）。端末制御部３２は、作成依頼通知ボタン１５９がクリックされたと判断すると（図８：Ｓ４６；ＹＥＳ）、アンケートのテーマ、選択肢の数、および作業時間の全ての項目について記憶部３４に記憶されたか否かを判断する（図８：Ｓ４７）。端末制御部３２は、全ての項目について記憶部３４に記憶されていないと判断した場合には（図８：Ｓ４７；ＮＯ）、視聴者おまかせ処理のルーチンを抜ける。しかし、端末制御部３２は、全ての項目について記憶部３４に記憶されていると判断した場合には（図８：Ｓ４７；ＹＥＳ）、記憶部３４に記憶された内容で依頼内容を決定し（図８：Ｓ４８）、視聴者おまかせ設定処理のルーチンを抜ける。
【００７９】
図７の説明に戻り、権限付与部として機能する端末制御部３２は、アンケートの作成者の選択処理を行う（図１３：Ｓ６０）。例えば、生放送番組配信用インターフェース１００のコメント等表示欄１７０に表示されているコメントをクリックすることにより、コメントを投稿した視聴者をアンケートの作成者として選択する。また、生放送番組配信用インターフェース１００に新たに検索窓を設け、検索窓にユーザ名等を入力して検索し、アンケートの作成者として選択してもよい。
【００８０】
権限付与部として端末制御部３２は、生放送配信サーバ１に対して、選択されたアンケートの作成者のユーザＩＤと、アンケートの作成依頼配信リクエストと、依頼内容の送信を行う（図７：Ｓ２）。生放送配信サーバ１は、端末装置３から配信リクエストと依頼内容とを受信すると、視聴者に対してアンケートの作成依頼の配信処理を行う（図７：Ｓ３）。生放送配信サーバ１は、受信したアンケートの作成者のユーザＩＤを有する視聴者に対して、アンケートの作成依頼を告知する（図７：Ｓ４）。生放送配信サーバ１からの告知を受信した端末装置３の端末制御部３２は、視聴者コンテンツ作成部として機能し、生放送番組視聴用インターフェース２００における運営コメント表示部２１０に図９に示すアンケート作成画面３００を表示させる。
【００８１】
図９にアンケート作成画面３００の一例を示す。アンケート作成画面３００は、生放送番組視聴用インターフェース２００における番組表示部２２０にポップアップ等の形式で表示される。図９に示すように、アンケート作成画面３００は、アンケートリセットボタン３１０と、配信ボタン３２０と、質問事項記入欄３３０と、選択肢記入欄３４０とを備えている。視聴者は、依頼内容に含まれるアンケートのテーマ、および選択肢の数に基づいて、質問事項記入欄３３０にアンケートの質問事項を入力し、選択肢記入欄３４０にアンケートの選択肢を入力する。視聴者コンテンツ作成部として機能する端末制御部３２は、視聴者によって入力された内容をアンケートの内容として記憶部３４に記憶させ、アンケートの作成処理を行う（図７：Ｓ６）。
【００８２】
視聴者は、質問事項記入欄３３０および選択肢記入欄３４０への入力を終えると、配信ボタン３２０をクリックする。コンテンツ配信部として機能する端末制御部３２は、配信ボタン３２０がクリックされと判断すると、質問事項記入欄３３０および選択肢記入欄３４０に入力された内容を読み取って、アンケートの作成処理を終了する。
【００８３】
図７に示すように、コンテンツ配信部として機能する端末制御部３２は、読み取った内容と共に、アンケートの配信依頼を生放送配信サーバ１に送信する（図７：Ｓ７）。アンケートの内容と配信依頼を受信した生放送配信サーバ１は、アンケートの配信処理を実行する（図７：Ｓ１３）。生放送配信サーバ１は、受信したアンケートの内容を、視聴者および配信者の端末装置３に配信する（図７：Ｓ１４，Ｓ１５）。
【００８４】
アンケートを受信した視聴者の端末装置３の端末制御部３２は、生放送番組視聴用インターフェース２００にアンケートの内容を表示させると共に、視聴者からの回答を受け付ける（図７：Ｓ１６）。また、アンケートを受信した配信者の端末装置３の端末制御部３２は、生放送番組配信用インターフェース１００にアンケートの内容を表示させる（図７：Ｓ１７）。これにより、視聴者により作成されたコンテンツが、生放送中の番組に組み込まれることになる。図１０は、アンケートの表示例を示す図である。図１０に示すように、アンケートの質問事項は運営コメント表示部２１０に表示され、選択肢は回答領域５００，５０１，５０２，５０３に表示される。なお、回答領域の数は、選択肢の数に応じて変更される。
【００８５】
視聴者は、回答領域５００，５０１，５０２，５０３のいずれかをクリックすることにより、アンケートに回答することができる。端末制御部３２は、回答領域５００，５０１，５０２，５０３のいずれかがクリックされたと判断すると、クリックされた回答領域に対応する選択肢の内容をアンケートの回答として、生放送配信サーバ１に送信する（図７：Ｓ１８）。
【００８６】
生放送配信サーバ１は、所定時間にわたってアンケートの回答の集計処理を行う（図７：Ｓ１９）。所定時間としては、予め定められた時間を用いてもよい、配信者が設定するようにしてもよい。
【００８７】
一方、配信者の端末装置３における表示部３０には、生放送番組配信用インターフェース１００上に、図１１に示すようなアンケート確認画面４００が表示される。図１１に示すアンケート確認画面４００は、質問事項欄４２０と、選択肢欄４３０と、結果表示ボタン４５０と、結果消去ボタン４６０とを備えている。図１１に示す例では、アンケートの質問事項として「好きな果物はなんですか？」という質問が表示され、選択肢として、「アップル」、「パイナップル」、「バナナ」、「柑橘系」が表示されている。この状態において、端末制御部３２は、アンケート確認画面４００の結果表示ボタン４５０がクリックされたことを判断すると、生放送配信サーバ１に対して、アンケートの結果表示リクエストを送信する（図７：Ｓ２０）。
【００８８】
結果表示リクエストを受信した生放送配信サーバ１は、視聴者および配信者の端末装置３に対して、アンケートの集計結果を送信する（図７：Ｓ２１，Ｓ２２）。集計結果を受信した視聴者の端末装置３の端末制御部３２は、アンケートの集計結果を生放送番組視聴用インターフェース２００上に表示させる。また、集計結果を受信した配信者の端末装置３の端末制御部３２は、アンケートの集計結果を生放送番組配信用インターフェース１００上に表示させる。結果の表示方法としては、例えば、回答領域５００，５０１，５０２，５０３内に、「○○％」のようにパーセントで表示する。
【００８９】
本実施形態においては、配信者が設定したアンケートの作成時間内にアンケートが作成されない場合には、アンケートの作成依頼をキャンセルする情報を配信者の端末装置３から生放送配信サーバ１に送信し、アンケートの作成依頼およびアンケートの配信に関する処理をキャンセルするようにしてもよい。また、配信者の端末装置３に表示される生放送番組配信用インターフェース１００において、視聴者おまかせタブ１５５等に強制終了ボタンを表示させ、配信者が強制終了ボタンをクリックした際に、アンケートの作成依頼を強制終了する情報を配信者の端末装置３から生放送配信サーバ１に送信してもよい。この場合には、生放送配信サーバ１アンケートの作成依頼およびアンケートの配信に関する処理を強制終了させる。
【００９０】
以上のように、本実施形態によれば、配信者が選択した視聴者にアンケートの作成権限を付与してアンケートを作成させるので、配信者は、自らの傍らにアシスタントを用意できない場合であっても、生放送番組の配信の進行を滞らせることなく、アンケートを配信するができる。
【００９１】
なお、ステップＳ６０に示すアンケート作成者の選択処理は、配信者が選択を行うのではなく、配信者の端末装置３の権限付与部として機能する端末制御部３２が、視聴者リスト等の中から無作為に抽出して選択するようにしてもよい。視聴者リスト等は、生放送配信サーバ１の記憶部１０に記憶されており、端末制御部３２から生放送配信サーバ１に対する送信要求に基づいて、生放送配信サーバ１から端末装置３に対して送信するようにすればよい。
【００９２】
また、ステップＳ６０に示すアンケート作成者の選択処理は、配信者が選択を行うのではなく、配信者の端末装置３の作成権限付与部として機能する端末制御部３２が、特定条件下にある視聴者等のユーザを抽出して選択するようにしてもよい。特定条件下とは、例えば、コメントを投稿した視聴者のうち、３００番目にコメントを投稿したユーザ等が挙げられる。また、特定条件を配信者が指定して、配信者の意向に沿った視聴者等のユーザを抽出して選択するようにしてもよい。
【００９３】
（第２実施形態）
本発明に係る第２実施形態について図面を参照しつつ説明する。図１２は、本実施形態の生放送配信システムにおける端末装置と生放送配信サーバの動作を示すシーケンス図である。
【００９４】
第１実施形態においては、特定の視聴者を対象にしてアンケート作成の依頼を行ったが、本実施形態においては、配信者が視聴者の全員をアンケート作成者の対象とするところが第１実施形態と異なる。
【００９５】
図１２は、第１実施形態の図７のシーケンス図に対応するシーケンス図である。図１２において、図７との共通箇所には同一符号を付している。図１２に示すように、本実施形態においては、視聴者おまかせ設定処理（図１２：Ｓ１）の終了後に、生放送配信サーバ１に対して、アンケートの作成依頼の配信リクエストと共に、依頼内容を送信する（図１２：Ｓ２）。生放送配信サーバ１は、端末装置３から配信リクエストと依頼内容とを受信すると、視聴者に対してアンケートの作成依頼の配信処理を行う（図１２：Ｓ３）。生放送配信サーバ１は、生放送番組を視聴している視聴者を確認し、視聴者に対して、アンケートの作成依頼を告知する（図１２：Ｓ４）。生放送配信サーバ１からの告知を受信した端末装置３は、生放送番組視聴用インターフェース２００における運営コメント表示部２１０に告知表示を行うか、または番組表示部２２０にポップアップ等の形式で告知表示を行う。告知表示には、配信者からアンケート作成の依頼がある旨、並びにアンケートのテーマ、選択肢の数、および作業時間を含む依頼内容が含まれる。また、告知表示には、アンケート作成の依頼に応募することを示す応募ボタンまたはリンク表示が含まれる。
【００９６】
端末装置３は、前記告知表示を行った後に、応募処理を行う（図１２：Ｓ５）。図１３に端末装置３における応募処理ルーチンの詳細を示す。図１３に示すように、端末制御部３２は、告知表示に含まれる応募ボタンまたはリンク表示がクリックされたかどうかを判断する（図１３：Ｓ５０）。端末制御部３２は、応募ボタンまたはリンク表示がクリックされていないと判断すると（図１３：Ｓ５０；ＮＯ）、応募処理を開始してから所定時間が経過したかどうかを判断する（図１３：Ｓ５２）。所定時間は、予め設定された時間を用いてもよいし、アンケートの作成を依頼する配信者が設定してもよい。端末制御部３２は、所定時間が経過していないと判断すると（図１３：Ｓ５２；ＮＯ）、ステップＳ５０の処理に戻る。端末制御部３２は、応募ボタンまたはリンク表示がクリックされずに所定時間が経過したと判断すると（図１３：Ｓ５２；ＹＥＳ）、応募処理ルーチンを終了する。
【００９７】
一方、端末制御部３２は、応募ボタンまたはリンク表示がクリックされたと判断すると（図１３：Ｓ５０；ＹＥＳ）、アンケート作成画面を表示部３０に表示させて応募処理を終了する。
【００９８】
説明を図１２に戻す。応募処理が終了すると、端末制御部３２は、アンケートの作成処理を行う（図１２：Ｓ６）。なお、応募ボタンまたはリンク表示がクリックされないまま応募処理が終了した場合には、ステップＳ６の作成処理はスキップされる。
【００９９】
視聴者コンテンツ作成部として機能する端末制御部３２は、アンケート作成画面に入力された内容を読み取ることにより、アンケートの作成処理を行う。図１４にアンケート作成画面３００Ａの一例を示す。アンケート作成画面３００Ａは、生放送番組視聴用インターフェース２００における番組表示部２２０にポップアップ等の形式で表示される。図１４に示すように、アンケート作成画面３００Ａは、アンケートリセットボタン３１０と、応募ボタン３５０と、質問事項記入欄３３０と、選択肢記入欄３４０とを備えている。視聴者は、依頼内容に含まれるアンケートのテーマ、および選択肢の数に基づいて、質問事項記入欄３３０にアンケートの質問事項を入力し、選択肢記入欄３４０にアンケートの選択肢を入力する。
【０１００】
視聴者は、質問事項記入欄３３０および選択肢記入欄３４０への入力を終えると、応募ボタン３５０をクリックする。視聴者コンテンツ作成部として機能する端末制御部３２は、応募ボタン３５０がクリックされと判断すると、質問事項記入欄３３０および選択肢記入欄３４０に入力された内容を読み取って、アンケートの作成処理を終了する。
【０１０１】
図１２に示すように、端末制御部３２は、読み取った内容を生放送配信サーバ１に送信する（図１２：Ｓ７）。端末制御部３２は、この送信の際に、アンケートを作成した視聴者のユーザＩＤについても送信する。
【０１０２】
生放送配信サーバ１は、依頼内容に含まれる作業時間が経過するまで、複数の端末装置３からのアンケートの募集処理を行う（図１２：Ｓ８）。なお、作業時間が経過するまでアンケートの応募がなかった場合には、アンケートの配信に関する処理をキャンセルするようにしてもよい。生放送配信サーバ１は、募集処理において、送信されたユーザＩＤとアンケートの内容を記憶部１０に記憶させる。生放送配信サーバ１は、作業時間が経過すると、アンケートの作成依頼を行った配信者の端末装置３に対して、アンケートの内容確認依頼を送信する（図１２：Ｓ９）。内容確認依頼には、アンケートの質問事項を含む一覧リストが含まれる。
【０１０３】
コンテンツ確認部として機能する端末装置３の端末制御部３２は、生放送配信サーバ１から内容確認依頼と一覧リストを受信すると、生放送番組配信用インターフェース１００に、ポップアップ等の形式により一覧リストを表示させ、確認処理を行う（図１２：Ｓ１０）。一覧リストには、例えば、アンケートの質問事項が一覧表示されている。一覧リストに表示された質問事項は、生放送配信サーバ１の記憶部１０に記憶されたアンケートの内容とリンク付けられている。コンテンツ確認部として機能する端末制御部３２は、配信者により質問事項がクリックされたと判断すると、リンク付けられアンケートの内容を生放送配信サーバ１から読み取り、生放送番組配信用インターフェース１００に、ポップアップ等の形式により確認画面として表示させる。
【０１０４】
図１５は、アンケート確認画面４００Ａの一例を示す図である。アンケート確認画面４００Ａは、質問事項欄４２０と、選択肢欄４３０と、決定ボタン４４０と、結果表示ボタン４５０と、結果消去ボタン４６０とを備えている。配信者は、アンケート確認画面４００により、アンケートの内容を確認することができる。図１５に示す例では、アンケートの質問事項として「好きな果物はなんですか？」という質問が表示され、選択肢として、「アップル」、「パイナップル」、「バナナ」、「柑橘系」が表示されている。
【０１０５】
配信許否決定部として機能する端末制御部３２は、決定ボタン４４０がクリックされたと判断すると、配信するアンケートの決定処理を行う（図１２：Ｓ１１）。配信許否決定部として機能する端末制御部３２は、決定ボタン４４０がクリックされたアンケートを特定する情報と、当該アンケートの配信リクエストを生放送配信サーバ１に送信する（図１２：Ｓ１２）。決定されたアンケートを特定する情報としては、各アンケートにアンケートＩＤを付しておいてもよいし、あるいは一覧リストにおける何番目のアンケートであるかを示す情報でもよい。
【０１０６】
アンケートを特定する情報と当該アンケートの配信リクエストとを受信した生放送配信サーバ１は、アンケートの配信処理を実行する（図１２：Ｓ１３）。図１２に示すこれ以降の処理は図７に示す処理と同様なので説明を省略する。
【０１０７】
本実施形態においては、配信者が設定したアンケートの作成時間内にアンケートの確認処理を行うことができない場合には、アンケートの作成依頼をキャンセルする情報を配信者の端末装置３から生放送配信サーバ１に送信し、アンケートの作成依頼およびアンケートの配信に関する処理をキャンセルするようにしてもよい。また、配信者の端末装置３に表示される生放送番組配信用インターフェース１００において、視聴者おまかせタブ１５５等に強制終了ボタンを表示させ、配信者が強制終了ボタンをクリックした際に、アンケートの作成依頼を強制終了する情報を配信者の端末装置３から生放送配信サーバ１に送信してもよい。この場合には、生放送配信サーバ１アンケートの作成依頼およびアンケートの配信に関する処理を強制終了させる。
【０１０８】
以上のように、本実施形態においても、視聴者にアンケートの作成権限を付与してアンケートを作成させるので、配信者は、自らの傍らにアシスタントを用意できない場合であっても、生放送番組の配信の進行を滞らせることなく、アンケートを配信するができる。
【０１０９】
また、本実施形態によれば、配信者によるアンケート作成者の選択作業を省くことができるので、配信者は、自らの傍らにアシスタントを用意できない場合であっても、生放送番組の配信の進行を滞らせることなく、より一層容易にアンケートを配信するができる。
【０１１０】
（第３実施形態）
本発明に係る第３実施形態について図面を参照しつつ説明する。図１６は、本実施形態の生放送配信システムにおける端末装置と生放送配信サーバの動作を示すシーケンス図である。
【０１１１】
上述した各実施形態においては、生放送の配信者が原始的にアンケートの作成依頼権限を有している態様について説明した。しかし、本発明はこのような態様に限定される訳ではなく、配信者が、アンケートの作成依頼権限を他のユーザに付与するように構成することも可能である。図１６は、第１実施形態の図７のシーケンス図に対応するシーケンス図である。図１６において、図７との共通箇所には同一符号を付している。
【０１１２】
アンケートの作成依頼権限を付与する対象者としては、例えば、コミュニティと呼ばれるグループのメンバーが挙げられる。生放送の配信を行うには、コミュニティにメンバー登録するか、あるいは新たなコミュニティを作成することを要求される場合がある。コミュニティに、複数のメンバーが登録されている場合、生放送の配信者は、コミュニティのメンバーにアンケートの作成依頼権限を付与することができる。この場合、コミュニティのメンバーは、生放送を視聴しているとは限らないので、何らかの方法で、配信者からコミュニティのメンバーにメッセージを送信する。
【０１１３】
図１６に示すように、アンケートの作成依頼権限付与部として機能する配信者の端末装置３の端末制御部３２は、コミュニティのメンバーリストの中から選択されたメンバーに、アンケートの作成依頼権限を付与する（図１６：Ｓ７０）。この場合には、例えば、生放送番組配信用インターフェース１００にコミュニティのメンバーリストを表示させ、配信者によりメンバーを選択可能にすればよい。
【０１１４】
端末制御部３２は、コミュニティのメンバーが選択されたと判断すると、当該メンバーに、作成依頼権限が付与されたことを告知する（図１６：Ｓ７１）。上述したように、この場合には、メンバーが生放送を視聴していない場合も考えられるので、メール、あるいはメッセンジャー等のアプリケーションを使用して告知するようにしてもよい。メンバーが生放送を視聴している場合には、メンバーの端末装置３の表示部３０に表示されている生放送番組視聴用インターフェース２００上に、例えばポップアップ等の形式で、告知を行うようにすればよい。
【０１１５】
上述のような告知を、メンバーが承認すると、メンバーの端末装置３における端末制御部３２は、第１実施形態と同様に視聴者おまかせ設定処理を行う（図１６：Ｓ１）。メンバーが生放送を視聴していない場合には、第１実施形態で説明した視聴者おまかせタブ１５５に相当する画面を、メンバーの端末装置３の表示部３０に表示させればよい。
【０１１６】
本実施形態においては、上述した承認を行ったメンバーが、配信者に代わって、アンケートの作成依頼等を行うので、図１６に示すステップＳ２からステップＳ２４までの処理は第１実施形態と同様である。アンケートの配信（図１６：Ｓ７２）と表示（図１６：Ｓ７３）、およびアンケートの結果送信（図１６：Ｓ７４）と表示（図１６：Ｓ７５）は、配信者の端末装置３に対して行い、または配信者の端末装置３において行うようにしてもよい。
【０１１７】
以上のように、本実施形態によれば、端末制御部３２がアンケートの作成依頼権限をメンバーに付与するので、配信者によるアンケートに関する作業を省くことができ、配信者は、自らの傍らにアシスタントを用意できない場合であっても、生放送番組の配信の進行を滞らせることなく、より一層容易にアンケートを配信するができる。
【０１１８】
なお、アンケートの作成依頼権限の付与は、コミュニティのメンバーに限らず、特定の視聴者に対して行うようにしてもよい。また、アンケートの作成依頼権限の付与処理以降の処理については、第２実施形態を適用することも可能である。
【０１１９】
（第４実施形態）
本発明に係る第４実施形態について図面を参照しつつ説明する。図１７は、本実施形態の生放送配信システムにおける端末装置と生放送配信サーバの動作を示すシーケンス図である。
【０１２０】
上述した各実施形態においては、端末装置３の端末制御部３２が、アンケートの作成依頼に関わる処理を実行する態様について説明した。しかし、本発明はこのような態様に限定される訳ではなく、生放送配信サーバ１のサーバ制御部１１が、端末制御部３２の代わりにアンケートの作成依頼に関わる処理を実行するようにしてもよい。
【０１２１】
図１７は、第１実施形態の図７のシーケンス図に対応するシーケンス図である。図１７において、図７との共通箇所には同一符号を付している。
【０１２２】
本実施形態では、配信者の端末装置３の表示部３０に表示されている生放送番組配信用インターフェース１００において行われた操作内容は、生放送配信サーバ１に送信される（図１７：Ｓ８０，Ｓ８１）。この操作内容には、配信者により、コンテンツ作成者として選択された特定の視聴者のユーザＩＤも含まれる。前記操作内容を受信した生放送配信サーバ１のサーバ制御部１１は、視聴者おまかせ設定処理等の処理を実行する。したがって、図４に示す処理および図８に示す処理は、権限付与部、視聴者コンテンツ作成部、およびコンテンツ配信部としての機能するサーバ制御部１１により行われる。
【０１２３】
視聴者コンテンツ作成部として機能するサーバ制御部１１は、ステップＳ７において、アンケートの内容を受信すると、配信されるアンケートを作成し、コンテンツ配信部としての機能するサーバ制御部１１は、作成したアンケートを配信する（図１７：Ｓ１３）。
【０１２４】
その処理の内容自体は第１実施形態と同様なので、詳細な説明については省略する。また、第２実施形態および第３実施形態においても、本実施形態と同様の構成として、処理の主体をサーバ制御部１１とすることが可能である。
【０１２５】
以上のように、本実施形態においても、視聴者等にアンケートの作成権限を付与してアンケートを作成させるので、配信者は、自らの傍らにアシスタントを用意できない場合であっても、生放送番組の配信の進行を滞らせることなく、アンケートを配信するができる。
【０１２６】
また、本実施形態においても、配信者が設定したアンケートの作成時間内にアンケートが作成されない場合には、アンケートの作成依頼をキャンセルする情報を配信者の端末装置３から生放送配信サーバ１に送信し、アンケートの作成依頼およびアンケートの配信に関する処理をキャンセルするようにしてもよい。また、配信者の端末装置３に表示される生放送番組配信用インターフェース１００において、視聴者おまかせタブ１５５等に強制終了ボタンを表示させ、配信者が強制終了ボタンをクリックした際に、アンケートの作成依頼を強制終了する情報を配信者の端末装置３から生放送配信サーバ１に送信してもよい。この場合には、生放送配信サーバ１アンケートの作成依頼およびアンケートの配信に関する処理を強制終了させる。
【０１２７】
（変形例）
以上の実施形態は例示であり、この発明の範囲から離れることなく様々な変形が可能である。上述した実施形態においては、コンテンツの一例として、アンケートを採用した態様について説明したが、本発明はこのような態様に限定される訳ではない。例えば、生放送番組配信用インターフェース１００の番組表示部１２０内に、番組表示部１２０よりも小さいサブ表示部を設け、サブ表示部で生放送配信されるサブ生放送番組をコンテンツとしてもよい。
【０１２８】
上述した実施形態においては、依頼内容決定部として機能する端末制御部３２およびサーバ制御部１１は、作成されるコンテンツの種類としてアンケートを、また、作成権限の範囲として、コンテンツ作成の作業時間、アンケートのテーマ、およびアンケートの選択肢の数を決定する態様について説明した。しかし、本発明は、このような態様に限定される訳ではない。例えば、依頼内容決定部として機能する端末制御部３２およびサーバ制御部１１は、作成権限の範囲として、時間的制限であるコンテンツ作成の作業時間だけでなく、コンテンツとして前記サブ生放送番組を採用した場合には、サブ生放送番組を表示する位置、即ち、表示上の制限を作成権限の範囲としてもよい。
【０１２９】
以上の態様に係るプログラムおよびアプリケーションプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体が好例であるが、半導体記録媒体や磁気記録媒体等の公知の任意の形式の記録媒体を包含し得る。なお、通信網を介した配信の形態で前述のプログラムを提供してコンピュータにインストールすることも可能である。
【０１３０】
以上、本発明の実施形態に係る端末装置のアプリケーションプログラム、端末装置の制御方法、端末装置、および生放送配信サーバについて説明したが、本発明は、これに限定されるものではなく、本発明の要旨を逸脱しない範囲で、種々の変更が可能である。
【符号の説明】
【０１３１】
１        生放送配信サーバ
２        ネットワーク
３        端末装置
１１      サーバ制御部
３２      端末制御部
【図１】
2018180681.tif 000003
【図２】
2018180681.tif 000004
【図３】
2018180681.tif 000005
【図４】
2018180681.tif 000006
【図５】
2018180681.tif 000007
【図６】
2018180681.tif 000008
【図７】
2018180681.tif 000009
【図８】
2018180681.tif 000010
【図９】
2018180681.tif 000011
【図１０】
2018180681.tif 000012
【図１１】
2018180681.tif 000013
【図１２】
2018180681.tif 000014
【図１３】
2018180681.tif 000015
【図１４】
2018180681.tif 000016
【図１５】
2018180681.tif 000017
【図１６】
2018180681.tif 000018
【図１７】
2018180681.tif 000019
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
生放送番組の配信機能を有する生放送配信サーバとの通信機能を有する端末装置のアプリケーションプログラムであって、前記アプリケーションプログラムは、前記端末装置のコンピュータを、
生放送配信者からの指示に基づき、視聴者の一部または全部に、前記生放送配信者が有する権限のうち、コンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部として、機能させる、
ことを特徴とする端末装置のアプリケーションプログラム。
【請求項２】
前記権限付与部は、作成されるコンテンツの種類と、前記作成権限の範囲とを決定する、
ことを特徴とする請求項１に記載のアプリケーションプログラム。
【請求項３】
前記コンテンツの種類には、アンケート、または前記生放送番組と共に配信される生放送番組が含まれる、
ことを特徴とする請求項２に記載のアプリケーションプログラム。
【請求項４】
前記アプリケーションプログラムは、前記端末装置のコンピュータを、
前記視聴者により作成されたコンテンツの確認が可能なコンテンツ確認部としてさらに機能させる、
ことを特徴とする請求項１ないし請求項３のいずれか一に記載のアプリケーションプログラム。
【請求項５】
前記アプリケーションプログラムは、前記端末装置のコンピュータを、
前記視聴者により作成されたコンテンツの配信の許否を決定する配信許否決定部としてさらに機能させる、
ことを特徴とする請求項４に記載のアプリケーションプログラム。
【請求項６】
前記権限付与部は、無作為に抽出された前記他の視聴者、または特定条件下にある前記視聴者に前記作成権限を付与する、
ことを特徴とする請求項１ないし請求項５のいずれか一に記載のアプリケーションプログラム。
【請求項７】
前記作成権限の範囲は、前記コンテンツの作成の時間的制限、および作成された前記コンテンツが表示される際の表示態様、表示位置等の表示上の制限の少なくともいずれかを含む、
ことを特徴とする請求項１ないし請求項６のいずれか一に記載のアプリケーションプログラム。
【請求項８】
生放送番組の配信機能を有する生放送配信サーバとの通信機能を有する端末装置の制御方法であって、
生放送配信者からの指示に基づき、視聴者の一部または全部に、前記生放送配信者が有する権限のうち、コンテンツの作成権限を付与し、
作成権限を付与された視聴者によるコンテンツ作成を可能とし、
生放送配信者またはコンテンツ作成を行った視聴者の指示に基づき、視聴者により作成されたコンテンツを、生放送中の番組に組み込む、
ことを特徴とする端末装置の制御方法。
【請求項９】
生放送番組の配信機能を有する生放送配信サーバとの通信機能を有する端末装置であって、
生放送配信者からの指示に基づき、視聴者の一部または全部に、前記生放送配信者が有する権限のうち、コンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部と、を備える、
ことを特徴とする端末装置。
【請求項１０】
生放送番組を配信可能な生放送配信サーバのプログラムであって、前記プログラムは、前記生放送配信サーバのコンピュータを、
生放送配信者からの指示に基づき、視聴者の一部または全部に、前記生放送配信者が有する権限のうち、コンテンツの作成権限を付与する権限付与部と、
作成権限を付与された視聴者によるコンテンツ作成を可能とする視聴者コンテンツ作成部と、
生放送配信者またはコンテンツ作成を行った視聴者の指示に基づき、視聴者により作成されたコンテンツを、生放送中の番組に組み込むコンテンツ配信部として、機能させる、
ことを特徴とする生放送配信サーバのプログラム。
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
生放送番組の配信機能を有する生放送配信サーバとの通信機能を有する端末装置のアプリケーションプログラムであって、前記アプリケーションプログラムは、前記端末装置のコンピュータを、
生放送配信者からの指示に基づき、視聴者の一部または全部にアンケートの作成権限を付与する権限付与部と、
作成権限を付与された視聴者の前記端末装置であって、アンケートの作成機能が備えられていない前記端末装置に、前記作成権限を付与された視聴者によるアンケート作成を可能とする機能を付与する視聴者コンテンツ作成部と、
生放送配信者またはアンケート作成を行った視聴者の指示に基づき、視聴者により作成されたアンケートを、生放送中の番組に組み込むコンテンツ配信部として、機能させる、
ことを特徴とする端末装置のアプリケーションプログラム。
【請求項２】
前記権限付与部は、作成されるアンケートの種類と、前記作成権限の範囲とを決定する、
ことを特徴とする請求項１に記載のアプリケーションプログラム。
【請求項３】
前記アプリケーションプログラムは、前記端末装置のコンピュータを、
前記視聴者により作成されたアンケートの確認が可能なコンテンツ確認部としてさらに機能させる、
ことを特徴とする請求項１または請求項２に記載のアプリケーションプログラム。
【請求項４】
前記アプリケーションプログラムは、前記端末装置のコンピュータを、
前記視聴者により作成されたアンケートの配信の許否を決定する配信許否決定部としてさらに機能させる、
ことを特徴とする請求項３に記載のアプリケーションプログラム。
【請求項５】
前記権限付与部は、無作為に抽出された前記視聴者、または特定条件下にある前記視聴者に前記作成権限を付与する、
ことを特徴とする請求項１ないし請求項４のいずれか一に記載のアプリケーションプログラム。
【請求項６】
前記作成権限の範囲は、前記アンケートの作成の時間的制限、および作成される前記アンケートが表示される際の表示態様、表示位置等の表示上の制限の少なくともいずれかを含む、
ことを特徴とする請求項１ないし請求項５のいずれか一に記載のアプリケーションプログラム。
【請求項７】
生放送番組の配信機能を有する生放送配信サーバとの通信機能を有する端末装置の制御方法であって、
生放送配信者からの指示に基づき、視聴者の一部または全部にコンテンツの作成権限を付与し、
作成権限を付与された視聴者の前記端末装置であって、アンケートの作成機能が備えられていない前記端末装置に、前記作成権限を付与された視聴者によるアンケート作成を可能とする機能を付与し、
生放送配信者またはアンケート作成を行った視聴者の指示に基づき、視聴者により作成されたアンケートを、生放送中の番組に組み込む、
ことを特徴とする端末装置の制御方法。
【請求項８】
生放送番組の配信機能を有する生放送配信サーバとの通信機能を有する端末装置であって、
生放送配信者からの指示に基づき、視聴者の一部または全部にアンケートの作成権限を付与する権限付与部と、
作成権限を付与された視聴者の前記端末装置であって、アンケートの作成機能が備えられていない前記端末装置に、前記作成権限を付与された視聴者によるアンケート作成を可能とする機能を付与する視聴者コンテンツ作成部と、
生放送配信者またはアンケート作成を行った視聴者の指示に基づき、視聴者により作成されたアンケートを、生放送中の番組に組み込むコンテンツ配信部と、を備える、
ことを特徴とする端末装置。
【請求項９】
生放送番組を配信可能な生放送配信サーバのプログラムであって、前記プログラムは、前記生放送配信サーバのコンピュータを、
生放送配信者からの指示に基づき、視聴者の一部または全部にアンケートの作成権限を付与する権限付与部と、
作成権限を付与された視聴者の前記端末装置であって、アンケートの作成機能が備えられていない前記端末装置に、前記作成権限を付与された視聴者によるアンケート作成を可能とする機能を付与する視聴者コンテンツ作成部と、
生放送配信者またはアンケート作成を行った視聴者の指示に基づき、視聴者により作成されたアンケートを、生放送中の番組に組み込むコンテンツ配信部として、機能させる、
ことを特徴とする生放送配信サーバのプログラム。
【手続補正２】
【補正対象書類名】明細書
【補正対象項目名】０００９
【補正方法】変更
【補正の内容】
【０００９】
前記課題を解決するため、本発明に係る端末装置のアプリケーションプログラムの一態様は、生放送番組の配信機能を有する生放送配信サーバとの通信機能を有する端末装置のアプリケーションプログラムであって、前記アプリケーションプログラムは、前記端末装置のコンピュータを、生放送配信者からの指示に基づき、視聴者の一部または全部にアンケートの作成権限を付与する権限付与部と、作成権限を付与された視聴者の前記端末装置であって、アンケートの作成機能が備えられていない前記端末装置に、前記作成権限を付与された視聴者によるアンケート作成を可能とする機能を付与する視聴者コンテンツ作成部と、生放送配信者またはアンケート作成を行った視聴者の指示に基づき、視聴者により作成されたアンケートを、生放送中の番組に組み込むコンテンツ配信部として機能させることを特徴とする。
【手続補正３】
【補正対象書類名】明細書
【補正対象項目名】００１１
【補正方法】変更
【補正の内容】
【００１１】
前記態様によれば、端末装置のコンピュータは、前記アプリケーションプログラムを実行することにより、次のように機能する。権限付与部は、生放送配信者からの指示に基づき、視聴者の一部または全部にアンケートの作成権限を付与する。視聴者コンテンツ作成部は、作成権限を付与された視聴者の前記端末装置であって、アンケートの作成機能が備えられていない前記端末装置に、前記作成権限を付与された視聴者によるアンケート作成を可能とする機能を付与する。コンテンツ配信部は、生放送配信者またはアンケート作成を行った視聴者の指示に基づき、視聴者により作成されたアンケートを、生放送中の番組に組み込む。したがって、生放送配信者は、視聴者の一部または全部にアンケートの作成を依頼し、作成されたアンケートを配信することができるので、生放送配信者が自らの傍らにアシスタントを用意できない場合であっても、生放送番組の配信の進行を滞らせることなく、アンケートを配信することができる。
【手続補正４】
【補正対象書類名】明細書
【補正対象項目名】００１２
【補正方法】変更
【補正の内容】
【００１２】
本発明の他の態様は、前記権限付与部は、作成されるアンケートの種類と、前記作成権限の範囲とを決定することを特徴とする。この態様によれば、アンケートの作成権限を配信者以外の者に付与しても、配信者が希望する内容のアンケートが作成されることが期待される。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の他の態様は、前記アプリケーションプログラムは、前記端末装置のコンピュータを、前記視聴者により作成されたアンケートの確認が可能なコンテンツ確認部としてさらに機能させることを特徴とする。この態様によれば、コンテンツ確認部は、視聴者により作成されたアンケートの確認を可能とする。したがって、アンケートの作成を視聴者に依頼しても、生放送配信者が希望する内容のアンケートが作成されることが期待される。
【手続補正７】
【補正対象書類名】明細書
【補正対象項目名】００１５
【補正方法】変更
【補正の内容】
【００１５】
本発明の他の態様は、前記アプリケーションプログラムは、前記端末装置のコンピュータを、前記視聴者により作成されたアンケートの配信の許否を決定する配信許否決定部としてさらに機能させることを特徴とする。この態様によれば、配信許否決定部は、視聴者により作成されたアンケートの配信の許否を決定する。したがって、アンケートの作成を視聴者に依頼しても、生放送配信者が希望する内容のアンケートが配信されることが期待される。
【手続補正８】
【補正対象書類名】明細書
【補正対象項目名】００１６
【補正方法】変更
【補正の内容】
【００１６】
本発明の他の態様は、前記権限付与部は、無作為に抽出された前記他のユーザ、または特定条件下にある前記他のユーザに前記作成権限を付与することを特徴とする。この態様によれば、配信者が自らの傍らにアシスタントを用意できない場合であっても、他のユーザにアンケートの作成を依頼できるので、生放送番組の配信の進行を滞らせることなく、アンケート等のアンケートを配信することができる。
【手続補正９】
【補正対象書類名】明細書
【補正対象項目名】００１７
【補正方法】変更
【補正の内容】
【００１７】
本発明の他の態様は、前記作成権限の範囲は、前記アンケート作成の時間的制限、および前記アンケート作成の表示上の制限の少なくともいずれかを含むことを特徴とする。この態様によれば、アンケート作成の権限を配信者以外の者に付与しても、配信者が希望する内容のアンケートが作成されることが期待される。
【手続補正１０】
【補正対象書類名】明細書
【補正対象項目名】００１８
【補正方法】変更
【補正の内容】
【００１８】
前記課題を解決するため、本発明に係る端末装置の制御方法の一態様は、生放送番組の配信機能を有する生放送配信サーバとの通信機能を有する端末装置の制御方法であって、生放送配信者からの指示に基づき、視聴者の一部または全部にアンケートの作成権限を付与し、作成権限を付与された視聴者の前記端末装置であって、アンケートの作成機能が備えられていない前記端末装置に、前記作成権限を付与された視聴者によるアンケート作成を可能とする機能を付与し、生放送配信者またはアンケート作成を行った視聴者の指示に基づき、視聴者により作成されたアンケートを、生放送中の番組に組み込むことを特徴とする。
【手続補正１１】
【補正対象書類名】明細書
【補正対象項目名】００１９
【補正方法】変更
【補正の内容】
【００１９】
前記態様によれば、生放送配信者からの指示に基づき、視聴者の一部または全部にアンケートの作成権限が付与される。作成権限を付与された視聴者の端末装置においては、作成権限を付与された視聴者によるアンケート作成を可能とする機能が付与される。したがって、作成権限を付与された視聴者は、アンケート作成が可能となる。視聴者により作成されたアンケートは、生放送配信者またはアンケート作成を行った視聴者の指示に基づき、生放送中の番組に組み込まれる。したがって、生放送配信者は、視聴者の一部または全部にアンケートの作成を依頼し、作成されたアンケートを配信することができるので、生放送配信者が自らの傍らにアンケートを用意できない場合であっても、生放送番組の配信の進行を滞らせることなく、アンケートを配信することができる。
【手続補正１２】
【補正対象書類名】明細書
【補正対象項目名】００２０
【補正方法】変更
【補正の内容】
【００２０】
前記課題を解決するため、本発明に係る端末装置の一態様は、生放送番組の配信機能を有する生放送配信サーバとの通信機能を有する端末装置であって、生放送配信者からの指示に基づき、視聴者の一部または全部にアンケートの作成権限を付与する権限付与部と、作成権限を付与された視聴者の前記端末装置であって、アンケートの作成機能が備えられていない前記端末装置に、前記作成権限を付与された視聴者によるアンケート作成を可能とする機能を付与する視聴者コンテンツ作成部と、生放送配信者またはアンケート作成を行った視聴者の指示に基づき、視聴者により作成されたアンケートを、生放送中の番組に組み込むコンテンツ配信部とを備える、ことを特徴とする。
【手続補正１３】
【補正対象書類名】明細書
【補正対象項目名】００２１
【補正方法】変更
【補正の内容】
【００２１】
前記態様によれば、権限付与部は、生放送配信者からの指示に基づき、視聴者の一部または全部にアンケートの作成権限を付与する。視聴者コンテンツ作成部は、作成権限を付与された視聴者の前記端末装置であって、アンケートの作成機能が備えられていない前記端末装置に、前記作成権限を付与された視聴者によるアンケート作成を可能とする。コンテンツ配信部は、生放送配信者またはアンケート作成を行った視聴者の指示に基づき、視聴者により作成されたアンケートを、生放送中の番組に組み込む。したがって、生放送配信者は、視聴者の一部または全部にアンケートの作成を依頼し、作成されたアンケートを配信することができるので、生放送配信者が自らの傍らにアシスタントを用意できない場合であっても、生放送番組の配信の進行を滞らせることなく、アンケートを配信することができる。
【手続補正１４】
【補正対象書類名】明細書
【補正対象項目名】００２２
【補正方法】変更
【補正の内容】
【００２２】
前記課題を解決するため、本発明の生放送配信サーバのプログラムの一態様は、生放送番組を配信可能な生放送配信サーバのプログラムであって、前記プログラムは、前記生放送配信サーバのコンピュータを、生放送配信者からの指示に基づき、視聴者の一部または全部にアンケートの作成権限を付与する権限付与部と、作成権限を付与された視聴者の前記端末装置であって、アンケートの作成機能が備えられていない前記端末装置に、前記作成権限を付与された視聴者によるアンケート作成を可能とする視聴者コンテンツ作成部と、生放送配信者またはアンケート作成を行った視聴者の指示に基づき、視聴者により作成されたアンケートを、生放送中の番組に組み込むコンテンツ配信部として機能させる、ことを特徴とする。
【手続補正１５】
【補正対象書類名】明細書
【補正対象項目名】００２３
【補正方法】変更
【補正の内容】
【００２３】
前記態様によれば、生放送配信サーバのプログラムを生放送配信サーバのコンピュータに実行させることにより、権限付与部は、生放送配信者からの指示に基づき、視聴者の一部または全部にアンケートの作成権限を付与する。視聴者コンテンツ作成部は、作成権限を付与された視聴者の前記端末装置であって、アンケートの作成機能が備えられていない前記端末装置に、前記作成権限を付与された視聴者によるアンケート作成を可能とする。コンテンツ配信部は、生放送配信者またはアンケートテンツ作成を行った視聴者の指示に基づき、視聴者により作成されたアンケートを、生放送中の番組に組み込む。したがって、生放送配信者は、視聴者の一部または全部にアンケートの作成を依頼し、作成されたアンケートを配信することができるので、生放送配信者が自らの傍らにアシスタントを用意できない場合であっても、生放送番組の配信の進行を滞らせることなく、アンケートを配信することができる。